(57)【特許請求の範囲】
【請求項１】
背凭れ本体とこの背凭れ本体をカバーする背カバーと有した背凭れを具備してなる椅子であって、
前記背カバーが、前記背凭れ本体を覆う袋状の部分を有したカバー本体と、このカバー本体の内面側に配され当該カバー本体と係わり合うベース部材とを備えてなるものであり、前記ベース部材が、前記背凭れ本体の下部と係わり合う係合部を備えているものであり、
前記背凭れ本体が、下辺縁における左右方向中央部に、正面視において上方に凹んだ凹陥部を備えており、その凹陥部に前記係合部を係わり合わせているものであり、
前記背凭れ本体における左右両側部に、前後方向に延びた左右の肘掛けが設けられており、
前記カバー本体が、伸縮性のある素材を主体に構成されたものであり、
前記ベース部材が、板状をなすベース部材本体と、このベース部材本体の下部に設けられた前記係合部とを備えており、
前記ベース部材本体が、前記肘掛けの基端部と前記凹陥部の側部とを結んだ仮想線よりも外側方に延出するとともに前記背凭れ本体の外面に沿うように配されためくれ防止部を設けている椅子。
【請求項２】
背凭れ本体とこの背凭れ本体をカバーする背カバーと有した背凭れを具備してなる椅子であって、
前記背カバーが、前記背凭れ本体を覆う袋状の部分を有したカバー本体と、このカバー本体の内面側に配され当該カバー本体と係わり合うベース部材とを備えてなるものであり、前記ベース部材が、前記背凭れ本体の下部と係わり合う係合部を備えているものであり、
前記カバー本体が、前記背凭れ本体が挿通される開口部を備えており、この開口部が接続手段を介して開閉可能に構成されているものであり、
前記ベース部材が、板状をなすベース部材本体と、このベース部材本体の下部に設けられた前記係合部とを備えており、
前記ベース部材本体が、前記接続手段の一部を収容し得る収容部を備えている椅子。
【請求項３】
背凭れ本体とこの背凭れ本体をカバーする背カバーと有した背凭れを具備してなる椅子であって、
前記背カバーが、前記背凭れ本体を覆う袋状の部分を有したカバー本体と、このカバー本体の内面側に配され当該カバー本体と係わり合うベース部材とを備えてなるものであり、前記ベース部材が、前記背凭れ本体の下部と係わり合う係合部を備えているものであり、
前記カバー本体が、前記ベース部材を収容する袋状をなし、前記係合部を外部に表出し得る開口部を有したベース部材収容部を備えている椅子。
【請求項４】
前記係合部が、前記背凭れ本体の下部と係合するフック状のものである請求項１、２又は３記載の椅子。
【請求項５】
前記カバー本体が、伸縮性のある素材を主体に構成されたものであり、
前記ベース部材が、板状をなすベース部材本体と、このベース部材本体の下部に設けられた前記係合部とを備えている請求項３記載の椅子。
【請求項６】
前記カバー本体における上端部の内面に、左右方向に延び前記背凭れ本体の上端部に係わり合う位置決め部材を備えている請求項１、２、３、４又は５記載の椅子。
【請求項７】
前記ベース部材が、前記カバー本体における前側に配された前のベース部材と、前記カバー本体における後側に配された後のベース部材であり、
前記前のベース部材の前記係合部と前記後のベース部材の前記係合部とが、干渉しない位置に設けられている請求項１、２、３、４、５又は６記載の椅子。
【発明の詳細な説明】
【技術分野】
【０００１】
本発明は、オフィス等において好適に使用される椅子に関する。
【背景技術】
【０００２】
従来から背凭れ本体に背カバーを取り付けた椅子が知られている（例えば、特許文献１を参照）。
【０００３】
背カバーは、着座者の荷重を直接的に受けるものであるため、着座者の荷重を受けた際に背凭れ本体に対して相対移動し易いものとなっている。背カバーが背凭れ本体に対してずれ動き、当該背カバーが本来の位置から大きく移動してしまった場合には、外観を損ねたり、着座者の快適な背凭れ感に支障を来したりするものとなっていた。
【先行技術文献】
【特許文献】
【０００４】
【特許文献１】特開２０１０−２５９６９２号公報
【発明の概要】
【発明が解決しようとする課題】
【０００５】
本発明は、以上のような事情に着目してなされたもので、背凭れ本体に対して、背カバーがずれ動くことを好適に抑制することができる構成を備えた椅子を提供することにある。
【課題を解決するための手段】
【０００６】
すなわち、本発明は次の構成をなしている。
【０００７】
請求項１に記載の発明は、背凭れ本体とこの背凭れ本体をカバーする背カバーと有した背凭れを具備してなる椅子であって、前記背カバーが、前記背凭れ本体を覆う袋状の部分を有したカバー本体と、このカバー本体の内面側に配され当該カバー本体と係わり合うベース部材とを備えてなるものであり、前記ベース部材が、前記背凭れ本体の下部と係わり合う係合部を備えているものであり、前記背凭れ本体が、下辺縁における左右方向中央部に、正面視において上方に凹んだ凹陥部を備えており、その凹陥部に前記係合部を係わり合わせているものであり、前記背凭れ本体における左右両側部に、前後方向に延びた左右の肘掛けが設けられており、前記カバー本体が、伸縮性のある素材を主体に構成されたものであり、前記ベース部材が、板状をなすベース部材本体と、このベース部材本体の下部に設けられた前記係合部とを備えており、前記ベース部材本体が、前記肘掛けの基端部と前記凹陥部の側部とを結んだ仮想線よりも外側方に延出するとともに前記背凭れ本体の外面に沿うように配されためくれ防止部を設けている椅子である。
【０００８】
請求項２に記載の発明は、背凭れ本体とこの背凭れ本体をカバーする背カバーと有した背凭れを具備してなる椅子であって、前記背カバーが、前記背凭れ本体を覆う袋状の部分を有したカバー本体と、このカバー本体の内面側に配され当該カバー本体と係わり合うベース部材とを備えてなるものであり、前記ベース部材が、前記背凭れ本体の下部と係わり合う係合部を備えているものであり、前記カバー本体が、前記背凭れ本体が挿通される開口部を備えており、この開口部が接続手段を介して開閉可能に構成されているものであり、前記ベース部材が、板状をなすベース部材本体と、このベース部材本体の下部に設けられた前記係合部とを備えており、前記ベース部材本体が、前記接続手段の一部を収容し得る収容部を備えている椅子である。
【０００９】
請求項３に記載の発明は、背凭れ本体とこの背凭れ本体をカバーする背カバーと有した背凭れを具備してなる椅子であって、前記背カバーが、前記背凭れ本体を覆う袋状の部分を有したカバー本体と、このカバー本体の内面側に配され当該カバー本体と係わり合うベース部材とを備えてなるものであり、前記ベース部材が、前記背凭れ本体の下部と係わり合う係合部を備えているものであり、前記カバー本体が、前記ベース部材を収容する袋状をなし、前記係合部を外部に表出し得る開口部を有したベース部材収容部を備えている椅子である。
【００１０】
請求項４に記載の発明は、前記係合部が、前記背凭れ本体の下部と係合するフック状のものである請求項１、２又は３記載の椅子である。
【００１１】
請求項５に記載の発明は、前記カバー本体が、伸縮性のある素材を主体に構成されたものであり、前記ベース部材が、板状をなすベース部材本体と、このベース部材本体の下部に設けられた前記係合部とを備えている請求項３記載の椅子である。
【００１２】
請求項６に記載の発明は、前記カバー本体における上端部の内面に、左右方向に延び前記背凭れ本体の上端部に係わり合う位置決め部材を備えている請求項１、２、３、４又は５記載の椅子である。
【００１５】
請求項７に記載の発明は、前記ベース部材が、前記カバー本体における前側に配された前のベース部材と、前記カバー本体における後側に配された後のベース部材であり、
前記前のベース部材の前記係合部と前記後のベース部材の前記係合部とが、干渉しない位置に設けられている請求項１、２、３、４、５又は６記載の椅子である。
【発明の効果】
【００１６】
以上説明したように本発明によれば、背凭れ本体に対して、背カバーがずれ動くことを好適に抑制することができる構成を備えた椅子を提供することができるものとなる。
【図面の簡単な説明】
【００１７】
【図１】本発明の一実施形態を示す斜視図。
【図２】同実施形態における正面図。
【図３】同実施形態における背面図。
【図４】同実施形態における右側面図。
【図５】同実施形態における平面図。
【図６】同実施形態における分解斜視図。
【図７】同実施形態における分解斜視図。
【図８】同実施形態における前のベース部材の内面側を説明するための背面図。
【図９】同実施形態における後のベース部材の内面側を説明するための正面図。
【図１０】同実施形態における前のベース部材の斜視図。
【図１１】同実施形態における後のベース部材の斜視図。
【図１２】図２におけるＸ−Ｘ線端面図。
【図１３】他の実施形態である背カバーを示す斜視図。
【図１４】同斜視図。
【図１５】同実施形態における背面図。
【図１６】同実施形態における正面図。
【図１７】同実施形態のカバー本体を説明するための背面図。
【図１８】同実施形態のカバー本体を説明するための正面図。
【図１９】図１７におけるＶ−Ｖ線端面図。
【図２０】図１８におけるＷ−Ｗ線端面図。
【発明を実施するための形態】
【００１８】
以下、本発明の一実施形態を、図１〜１２を参照して説明する。
【００１９】
この実施形態は、本発明を、パイプ材を使用した椅子Ａに適用したものである。この椅子Ａは、例えば、オフィスや一般的な会議室等において好適に使用されるものである。
【００２０】
椅子Ａは、支持フレームＢと、この支持フレームＢに支持された座Ｃと、この座Ｃの後端部から上方に向かって延びた背凭れＤと、この背凭れＤの両側部から前方に延出した肘掛けＥとを備えている。背凭れＤは、合成樹脂により形成された背凭れ本体Ｆと、この背凭れ本体Ｆを覆う背カバーＧとを備えている。肘掛けＥは、背凭れ本体Ｆと合成樹脂により一体に形成されている。
【００２１】
以下、この椅子Ａの各構成について詳述する。
【００２２】
＜＜支持フレームＢ＞＞
支持フレームＢは、金属製のパイプ材を主体に構成されている。支持フレームＢは、上端部で背凭れ本体Ｆにおける下部に接続する後脚ｂ１と、後脚ｂ１の下端部に連続させて前方に延出するベースｂ２と、ベースｂ２の前端に連続し上方に起立する前脚ｂ３と、前脚ｂ３の上端に連続し後方に延出する座受ｂ４とを備えたものである。座受ｂ４の後端部は背凭れ本体Ｆの下部に接続している。
【００２３】
＜＜座Ｃ＞＞
座Ｃは、支持フレームＢに支持されている。座Ｃは、支持フレームＢと直接的に係わり合う部位を有した座周縁部ｃ１と、この周縁部ｃ１に囲繞された座中間部ｃ２とを備えている。これら座周縁部ｃ１と座中間部ｃ２とは、合成樹脂により一体に形成されている。座周縁部ｃ１は、座中間部ｃ２と比べて厚肉に形成されている。この実施形態では、座中間部ｃ２は、メッシュ状に形成されている。
【００２４】
座周縁部ｃ１は、平面視において略四角枠状をなしており、後端部に位置する後周縁部分ｃ１１には、起立壁ｃ１２が設けられている。この起立壁ｃ１２は、支持フレームＢにおける左右の後脚ｂ１間を繋ぐように、左右の後脚ｂ１間に立設されている。起立壁ｃ１２は、左右方向中央部に設けられ下方に凹陥した下凹陥部ａ１と、この下凹陥部ａ１の左右に設けられ背凭れ本体Ｆの下端縁部ａ５と接続する略水平な上端縁部ａ２とを備えている。
【００２５】
＜＜背凭れＤ＞＞
背凭れＤは、合成樹脂製の背凭れ本体Ｆと、この背凭れ本体Ｆをカバーする背カバーＧと備えている。
【００２６】
＜背凭れ本体Ｆ＞
背凭れ本体Ｆは、板状をなしたものであり、平面視において中央部が後方に向かって凸となるように湾曲した形状をなしている。背凭れ本体Ｆは、上端部に側面視において後方に向かって屈曲する屈曲部ａ３を備えている。
【００２７】
背凭れ本体Ｆは、上部の背凭れ面を構成する上本体部ｆ１と、下部の背凭れ面を構成する下本体部ｆ２とを一体に備えている。上本体部ｆ１の左右幅寸法は、下本体部ｆ２の左右幅寸法よりも短く設定されている。下本体部ｆ２の左右幅寸法は、座Ｃにおける後周縁部分ｃ１１の幅寸法と略一致させてある。上本体部ｆ１と下本体部ｆ２との境界部分における左右両側部には、肘掛けＥが正面視において外方に突出するように設けられている。上本体部ｆ１の左右幅寸法は、支持フレームＢの左右のベースｂ２間の離間寸法よりも短く設定されている。下本体部ｆ２の左右幅寸法は、支持フレームＢの左右のベースｂ２間の離間と略等しい寸法に設定されている。
【００２８】
下本体部ｆ２おける前面は、略全域が面一に形成されており、平面視において内向きに湾曲した形状をなしている。下本体部ｆ２における背面には、左側端部及び下端部における左部分に連続した略Ｌ字状をなす左の隆起部ｒ１と、右側端部及び下端部における右部分に連続した略Ｌ字状をなす右の隆起部ｒ２とが形成されている。これら左右の隆起部ｒ１、ｒ２間に形成された凹み部分ｐに後のベース部材３が取り付けられたカバー本体１の後のカバー部１２が添設されるようになっている。
【００２９】
背凭れ本体Ｆは、下端部における左右方向中央部に、正面視において上方に凹んだ凹陥部たる上凹陥部ａ４を備えている。上凹陥部ａ４の左右には、座Ｃにおける後周縁部分ｃ１１の上端縁部ａ２と接続する略水平な下端縁部ａ５が設けられている。これら下端縁部ａ５は、座Ｃの上端縁部ａ２と当接するようになっている。そして、中間位置にある座Ｃの下凹陥部ａ１と背凭れＤの上凹陥部ａ４とによって、左右方向に延びた長孔ｎが形成されている。この実施形態では、長孔ｎを構成する上凹陥部ａ４の縁部に、背カバーＧを構成する前のベース部材２の前係合部２２、及び、後のベース部材３の後係合部３２をそれぞれ係わり合わせている。
【００３０】
＜背カバーＧ＞
背カバーＧは、背凭れ本体Ｆの少なくとも一部を覆い得るものである。背カバーＧは、背凭れ本体Ｆにおける上本体部ｆ１の略全域を覆うとともに下本体部ｆ２における左右の側端部及び下端部における左右部分を除いた下本体部ｆ２の前後の領域を覆うものとなっている。背カバーＧは、背凭れ本体Ｆを覆う袋状の部分ｈを有したカバー本体１と、このカバー本体１の内面側に配され当該カバー本体と係わり合う前後のベース部材２、３とを備えてなる。
【００３１】
まずは、カバー本体１について説明する。
【００３２】
カバー本体１は、伸縮性のあるシート状の素材を主体に構成されたものであり、この実施形態では、布を主体に構成されている。カバー本体１は、主として背凭れ本体Ｆの前面側に配された前のカバー部１１と、主として背凭れ本体Ｆの後面側に配される後のカバー部１２とを備えている。これら前後のカバー部１１、１２の上縁部同士、及び、側縁部における上側の部分同士を縫い合わせることにより、下方に向かって開口された袋状の部分ｈが形成されている。
【００３３】
カバー本体１の前のカバー部１１には、袋状の部分ｈから下方に延出し、側端部及び下端部が後のカバー部１２と接続していない前の延出部分１１ａを備えており、カバー本体１の後のカバー部１２には、袋状の部分ｈから下方に延出し、側端部及び下端部が前のカバー部１１と接続していない後の延出部分１２ａとを備えている。そして、前の延出部分１１ａの内面側に後述する前のベース部材２が止着具ｔにより取り付けられており、後の延出部分１２ａの内面側に後述する後のベース部材３が止着具ｔにより取り付けられている。
【００３４】
カバー本体１は、背凭れ本体Ｆが挿通される開口部Ｋを備えており、この開口部Ｋが接続手段であるファスナーｊを介して開閉可能に構成されている。
【００３５】
ファスナーｊは、カバー本体１の下端部に設けられている。ファスナーｊは、カバー本体１に対して縫着されている。ファスナーｊは、端部に歯（図示せず）を有した帯状又は線状の第一、第二のファスナー部材ｊ１、ｊ２と、これら第一、第二のファスナー部材ｊ１、ｊ２の歯同士を噛み合わせたり噛み合わせた状態を解除したりするためのスライダーｊ３とを備えている。ファスナーｊは、開口部Ｋを開閉し得る通常のものである。
【００３６】
この実施形態では、第一のファスナー部材ｊ１は、その左右方向中央部のみが、前のカバー部１１における下端部の左右方向中央部、すなわち、前のカバー部１１における背凭れ本体Ｆの上凹陥部ａ４に対応する位置に縫い付けられている。
【００３７】
この実施形態では、第二のファスナー部材ｊ２は、その左右方向中央部のみが、後のカバー部１２における下端部の左右方向中央部、すなわち、後のカバー部１２における背凭れ本体Ｆの上凹陥部ａ４に対応する位置に縫い付けられている。スライダーｊ３は、第一、第二のファスナー部材ｊ１、ｊ２の何れか一方に離脱しない態様でスライド可能に取り付けられている。
【００３８】
カバー本体１における上端部の内面には、左右方向に延び背凭れ本体Ｆの上端部に係わり合う帯状の位置決め部材１３を備えている。位置決め部材１３は、一定の弾性を有した帯状のものであり、この実施形態では合成樹脂により形成されている。位置決め部材１３は、前のカバー部１１の上縁部と後のカバー部１２の上縁部との境界部分に沿うように配されている。位置決め部材１３は、前のカバー部１１、及び／又は、後のカバー部１２に縫い付けられている。
【００３９】
前のカバー部１１の内面側には、クッション性を付与したり装着安定性を付与したりするべく、クッション材１４が縫い付けや接着等の適宜の方法によって止着されている。
【００４０】
続いて、ベース部材たる前のベース部材２と、ベース部材たる後のベース部材３について説明する。
【００４１】
前のベース部材２は、板状をなすベース部材本体２１と、このベース部材本体２１の下部に設けられた鉤状の係合部たる前係合部２２とを備えている。
【００４２】
前のベース部材２におけるベース部材本体２１は、側縁部、及び、下縁部に連続的に設けられ、前のカバー部１１の縁部が係わり合うカバー保持縁部分２１ａと、このカバー保持縁部分２１ａの内側に設けられた中間部分２１ｂとを備えている。カバー保持縁部分２１ａは、中間部分２１ｂに比べて剛性が確保されており、中間部分２１ｂよりも厚肉に形成されている。中間部分２１ｂは、上部が円弧状に切り欠かれており、下方に向けて凹陥した形状をなしている。
【００４３】
前のベース部材２におけるカバー保持縁部分２１ａには、前のカバー部１１の端縁部が取り付けられるようになっている。つまり、前のカバー部１１における下部の側端縁部分１１１、及び、前のカバー部１１における左右の下端縁部分１１２が、カバー保持縁部分２１ａに対して止着具ｔにより取り付け（タッカ止め）られている。前のカバー部１１は、前側からカバー保持縁部分２１ａの外方端縁をくるんでいる。前のカバー部１１における下部の側端縁部分１１１の末端、及び、左右の下端縁部分１１２の末端は、カバー保持縁部分２１ａの背面側に位置しており、当該末端近傍の部位が、カバー保持縁部分ａ２１の背面にタッカ止めされるようになっている。
【００４４】
前係合部２２は、前のベース部材本体２１におけるカバー保持縁部分２１ａの下端部に一体に設けられている。前係合部２２は、左右に対をなして配されている。前係合部２２は、背凭れ本体Ｆの下部である上凹陥部ａ４に係わり合うものである。より詳しく言えば、前係合部２２は、背凭れ本体Ｆの下部、すなわち下辺縁に形成された上凹陥部ａ４の縁部に引っ掛かるフック状のものである。
【００４５】
カバー保持縁部分２１ａにおける前係合部２２の内側部分には、後述する後のベース部材３の後係合部３２との干渉を避けるための凹陥部ａ６が設けられている。換言すれば、前のベース部材２の前係合部２２と後のベース部材３の後係合部３２とは、上凹陥部ａ４に係合した状態においてそれぞれ干渉しない位置に設けられている。
【００４６】
前のベース部材２におけるベース部材本体２１は、図２に示すように、肘掛けＥの基端部と上凹陥部ａ４の側部とを結んだ仮想線ｓよりも外側方に延出している。すなわち、ベース部材本体２１は、背凭れ本体Ｆの外面に沿うように配されるとともに仮想線ａよりも外方に延出しためくれ防止部ｍ１が設けられている。この実施形態では、めくれ防止部ｍ１は、カバー保持縁部分２１ａにおける両端部分を主体にして構成されている。
【００４７】
前のベース部材２におけるベース部材本体２１は、ファスナーｊにおける余剰部分である外部分ｙを収容するための凹み領域たる収容部ｓ１を備えている。つまり、ベース部材本体２１におけるカバー保持縁部分２１ａは、中間部分２１ｂよりも厚肉に形成されており、カバー保持縁部分２１ａと協働して中間部分２１ｂの背面側に収容部ｓ１が形成されている。この収容部ｓ１に、ファスナーｊの外部分ｙを収容させることにより、カバー本体１の外面側にファスナーｊの外部分ｙの存在に起因する凸部が表出してしまうことが好適に抑制されるものとなっている。
【００４８】
なお、前のベース部材２におけるベース部材本体２１には、組み立て時の便宜のため、「前」という文字を示した表示部ｇ１が設けられている。この表示部ｇ１により、組み立て時において、後のベース部材３との混同が好適に抑制されたものとなっている。
【００４９】
また、前のベース部材２のベース部材本体２１は、無負荷状態すなわち前係合部２２が背凭れ本体Ｆに係合していない状態では、背凭れ本体Ｆよりも平面視における湾曲度合いが小さくなるように設定されている。そして、前のベース部材２において左右に間隔をあけて配された前係合部２２を、背凭れ本体Ｆの上凹陥部ａ４に係わり合わせた際には、ベース部材本体２１が弾性変形し、背凭れ本体Ｆ側に引き寄せられることになる。より具体的には、ベース部材本体２１の左右部分が、無負荷状態の姿勢に復帰しようとする弾性変形力により背凭れ本体Ｆ側に向かって常時付勢されることになる。ベース部材本体２１の左右部分には、前述しためくれ防止部ｍ１が設けられているため、当該めくれ防止部ｍ１は、ベース部材本体２１の材質のみならず形状によっても背凭れ本体Ｆに対してめくれにくい構造を採っている。
【００５０】
後のベース部材３は、板状をなすベース部材本体３１と、このベース部材本体３１の下部に設けられた鉤状の係合部たる後係合部３２とを備えている。
【００５１】
後のベース部材３におけるベース部材本体３１は、側縁部、及び、下縁部に連続的に設けられ、後のカバー部１２の縁部が係わり合うカバー保持縁部分３１ａと、このカバー保持縁部分３１ａの内側に設けられた中間部分３１ｂとを備えている。カバー保持縁部分３１ａは、中間部分３１ｂに比べて剛性が確保されており、中間部分３１ｂよりも厚肉に形成されている。中間部分３１ｂは、上部が切り欠かれており、下方に向けて凹陥した形状をなしている。
【００５２】
後のベース部材３におけるカバー保持縁部分３１ａには、後のカバー部１２の端縁部が取り付けられるようになっている。つまり、後のカバー部１２における下部の側端縁部分１２１、及び、後のカバー部１２における左右の下端縁部分１２２が、カバー保持縁部分３１ａに対して止着具ｔにより取り付け（タッカ止め）られている。後のカバー部１２は、後側からカバー保持縁部分３１ａの外方端縁をくるんでいる。後のカバー部１２における下部の側端縁部分１２１の末端、及び、左右の下端縁部分１２２の末端は、カバー保持縁部分３１ａの前面側に位置しており、当該末端近傍の部位が、カバー保持縁部分３１ａの前面にタッカ止めされるようになっている。
【００５３】
後係合部３２は、後のベース部材本体３１におけるカバー保持縁部分３１ａの下端部に一体に設けられている。後係合部３２は、左右に対をなして配されている。後係合部３２は、背凭れ本体Ｆの下部である上凹陥部ａ４に係わり合うものである。より詳しく言えば、後係合部３２は、背凭れ本体Ｆの下端部に形成された上凹陥部ａ４の縁部に引っ掛かるフック状のものである。
【００５４】
カバー保持縁部分３１ａにおける後係合部３２の外側部分には、前述した前のベース部材２の前係合部２２との干渉を避けるための凹陥部ａ７が設けられている。換言すれば、前のベース部材２の前係合部２２と後のベース部材３の後係合部３２とは、上凹陥部ａ４に係合した状態においてそれぞれ干渉しない位置に設けられている。また、左右に対をなして配された後係合部３２間には、上凹陥部ａ４の端縁に添接して係わり合う底板３３が架設されている。
【００５５】
後のベース部材３におけるベース部材本体３１は、図３に示すように、肘掛けＥの基端部と上凹陥部ａ４の側部とを結んだ仮想線ｓよりも外側方に延出している。すなわち、ベース部材本体３１は、背凭れ本体Ｆの外面に沿うように配されるとともに仮想線ａよりも外方に延出しためくれ防止部ｍ２が設けられている。この実施形態では、めくれ防止部ｍ２は、カバー保持縁部分３１ａにおける両端部分を主体にして構成されている。
【００５６】
後のベース部材３におけるベース部材本体３１は、ファスナーｊにおける余剰部分である外部分ｙを収容するための凹み領域たる収容部ｓ２を備えている。つまり、ベース部材本体３１におけるカバー保持縁部分３１ａは、中間部分３１ｂよりも厚肉に形成されており、カバー保持縁部分３１ａと協働して中間部分３１ｂの前面側に収容部ｓ２が形成されている。この収容部ｓ２に、ファスナーｊの外部分ｙを収容させることにより、カバー本体１の外面側にファスナーｊの外部分ｙの存在に起因する凸部が表出してしまうことが好適に抑制されるものとなっている。ファスナーｊの左右部分は、前のベース部材２の収容部ｓ１に収容させてもよいし、後のベース部材３の収容部ｓ２に収容させてもよい。
【００５７】
なお、後のベース部材３におけるベース部材本体３１には、組み立て時の便宜のため、「後」という文字を示した表示部ｇ２が設けられている。この表示部ｇ２により、組み立て時において、前のベース部材２との混同が好適に抑制されたものとなっている。
【００５８】
また、後のベース部材３のベース部材本体３１は、無負荷状態すなわち後係合部３２が背凭れ本体Ｆに係合していない状態では、背凭れ本体Ｆよりも平面視における湾曲度合いが大きくなるように設定されている。そして、後のベース部材３において左右に間隔をあけて配された後係合部３２を、背凭れ本体Ｆの上凹陥部ａ４に係わり合わせた際には、ベース部材本体３１が弾性変形し、背凭れ本体Ｆ側に引き寄せられることになる。より具体的には、ベース部材本体３１の左右部分が、無負荷状態の姿勢に復帰しようとする弾性変形力により背凭れ本体Ｆ側に向かって常時付勢されることになる。ベース部材本体３１の左右部分には、前述しためくれ防止部ｍ２が設けられているため、当該めくれ防止部ｍ２は、ベース部材本体３１の材質のみならず形状によっても背凭れ本体Ｆに対してめくれにくい構造を採っている。
【００５９】
＜肘掛けＥ＞
肘掛けＥは、左右に対をなして設けられており、背凭れ本体Ｆにおける左右両側部に一体的に設けられている。肘掛けＥは、背凭れ本体Ｆと樹脂により一体に形成されたもので、後端が背凭れ本体Ｆに連設されている。肘掛けＥの後端部は、背凭れ本体Ｆの側部、すなわち、左右の側縁部における上下方向中間部に接続している。肘掛けＥの前後方向の寸法は比較的短寸に設定されており、背凭れ本体Ｆに片持ち的に支持されている。
【００６０】
肘掛けＥは、基端部が背凭れ本体Ｆに接続し平面視において斜め前外側方に延びた基端部分ｅ１とこの基端部分ｅ１の先端部から支持フレームＢのベースｂ２に沿うように前方に延びた本体部分ｅ２とを備えてなるものである。本体部分ｅ２は、平面視において、左右のベースｂ２よりも外側に位置するように設定されている。
【００６１】
以上説明したように、本実施形態に係る椅子Ａは、背凭れ本体Ｆとこの背凭れ本体Ｆをカバーする背カバーＧと有した背凭れＤを具備している。そして、背カバーＧが、背凭れ本体Ｆを覆う袋状の部分ｈを有したカバー本体１と、このカバー本体１の内面に取り付けられた前後のベース部材２、３とを備えてなるものであり、前のベース部材２が、背凭れ本体Ｆの下部と係わり合う前係合部２２を備えているとともに、後のベース部材３が、背凭れ本体Ｆの下部と係わり合う後係合部３２を備えている。このため、背凭れ本体Ｆに対して、背カバーＧがずれ動くことを好適に抑制することができる構成を備えた椅子Ａを提供することができるものとなる。つまり、カバー本体１の内面に取り付けられた前後のベース部材２、３が、背凭れ本体Ｆの下部と係わり合うようになっているため、カバー本体１が背凭れ本体Ｆに対して相対移動しにくいものとなり、背カバーＧのずれ動きが好適に規制されるものとなる。
【００６２】
前係合部２２、及び、後係合部３２が、背凭れ本体Ｆの下端部と係合するフック状のものである。このため、カバー本体１が背凭れ本体Ｆに対して広く覆い得るものとなるとともに、フック状をなす前係合部２２及び後係合部３２が、背凭れ本体Ｆの下端部と好適に係わり合うものとなる。
【００６３】
カバー本体１が、伸縮性のある素材を主体に構成されたものであり、前のベース部材２が、板状をなすベース部材本体２１と、このベース部材本体２１の下部に設けられた前係合部２２とを備え、後のベース部材３が、板状をなすベース部材本体３１と、このベース部材本体３１の下部に設けられた後係合部３２とを備えている。このため、前係合部２２、及び、後係合部３２を背凭れ本体Ｆに係合することにより、カバー本体１を一定程度伸張させ得るものとなる。よって、カバー本体１が、たるみや皺の発生が抑制された態様で背凭れ本体Ｆに対して装着され得るものとなっている。
【００６４】
カバー本体１が、背凭れ本体Ｆが挿通される開口部Ｋを備えており、この開口部Ｋが接続手段たるファスナーｊを介して開閉可能に構成されている。このため、カバー本体１の開口部Ｋをファスナーｊにより好適に開閉し得るものとなっている。
【００６５】
カバー本体１における上端部の内面に、左右方向に延び背凭れ本体Ｆの上端部に係わり合う位置決め部材１３を備えている。このため、カバー本体１が背凭れ本体Ｆに対して好適に位置決めされ得るものとなる。
【００６６】
背凭れ本体Ｆが、下端部における左右方向中央部に、正面視において上方に凹んだ凹陥部たる上凹陥部ａ４を備えている。そして、上凹陥部ａ４に、前係合部２２、及び、後係合部３２を係わり合わせている。このため、背凭れ本体Ｆの広い領域に、カバー本体１を覆い得るものとなっている。
【００６７】
背凭れ本体Ｆにおける左右両側部に、前後方向に延びた左右の肘掛けＥが一体的に設けられている。そして、カバー本体１が、伸縮性のある素材たる布を主体に構成されている。前後のベース部材２、３における各ベース部材本体２１、３１が、肘掛けＥの基端部と上凹陥部ａ４の側部とを結んだ仮想線ｓよりも外側方に延出するとともに背凭れ本体Ｆの外面に沿うように配されためくれ防止部ｍ１、ｍ２を備えている。このため、カバー本体１における下部の左右部分が、背凭れ本体Ｆに対してめくれてしまうことが好適に抑制されるものとなっている。
【００６８】
前後のベース部材２、３における各ベース部材本体２１、３１が、ファスナーｊの一部を収容し得る収容部ｓ１、ｓ２を備えている。このため、ファスナーｊの両端部が、カバー本体１内に好適に収容され得るものとなるだけでなく、ファスナーｊの両端部の膨らんだ部分、例えば、スライダーｊ３や基端部分の接合部材などの存在によって、カバー本体１の外面に突起が表出するのを好適に抑制し得るものとなっている。
【００６９】
なお、本発明は、以上に詳述した実施形態に限られるものではない。
【００７０】
背カバーのベース部材は、カバー本体の内面側に配され当該カバー本体と係わり合うものであればよく、上述した実施形態に示すものには限られない。
【００７１】
ここで、他の実施形態である背カバーＧを、図１３〜１８を参照して説明する。当該他の実施形態において、上述した実施形態と同一又は相当する構成については同一の符号を付すこととし、詳細な説明を省略する。また。椅子を構成する背カバーＧ以外の他の構成については図示を省略している。
【００７２】
他の実施形態である背カバーＧは、前のベース部材２を、カバー本体１において袋状に形成された前のベース部材収容部１１ｆに収容させており、後のベース部材３を、カバー本体１において袋状に形成された後のベース部材収容部１２ｆに収容させている。前のベース部材２、及び、後のベース部材３は、それぞれカバー本体１の内面側に配されており、当該カバー本体１を所定の方向に移動ないし伸張させ得る態様で係わり合うようになっている。
【００７３】
前のベース部材収容部１１ｆは、カバー本体１における前のカバー部１１に設けられている。前のベース部材収容部１１ｆは、前のベース部材２における前係合部２２を外部に表出し得るように当該前のベース部材２を収容する袋状のものとなっている。すなわち、前のベース部材収容部１１ｆは、下端部に前係合部２２を外部に露出させるための長孔状の開口部ｋ１を備えている。前のベース部材収容部１１ｆは、前の延出部分１１ａと、この前の延出部分１１ａの内面側に配されるシート状の内側袋形成部分１１ｂとを主体に構成されている。そして、これら前の延出部分１１ａと内側袋形成部分１１ｂとの側縁部分と下縁部分の左右両側部とを縫い合わせることにより、下端部に開口部ｋ１を有した袋状の部分が形成されている。
【００７４】
前のベース部材２は、上側から前のベース部材収容部１１ｆ内に挿入される。そして、前の延出部分１１ａの下縁部分と内側袋形成部分１１ｂの下縁部分との縫い付け部ｎ１によって、内部に収容された前のベース部材２の下側への移動が規制されるとともに、前の延出部分１１ａの側縁部分と内側袋形成部分１１ｂの側縁部分との縫い付け部ｎ２によって、内部に収容された前のベース部材２の左右方向への移動が規制されるようになっている。
【００７５】
このようなものであれば、所期の目的を達成することができるのみならず、前のベース部材２を前のベース部材収容部１１ｆに挿入するだけで、前のベース部材２をカバー本体１における適切な位置に配設し得るものとなる。つまり、積極的に止着具を用いることなく、前のベース部材２とカバー本体１とを位置決めすることができるものとなる。
【００７６】
なお、図１７に示すように、前の延出部分１１ａの下縁部分と内側袋形成部分１１ｂの下縁部分との縫い付け部ｎ１、及び、前の延出部分１１ａの側縁部分と内側袋形成部分１１ｂの側縁部分との縫い付け部ｎ２は、表面側に表出しにくい位置に設けられている。また、前の延出部分１１ａの末端や内側袋形成部分１１ｂの末端は、前のベース部材収容部１１ｆの内部に位置するように縫い合わされている。
【００７７】
後のベース部材収容部１２ｆは、カバー本体１における後のカバー部１２に設けられている。後のベース部材収容部１２ｆは、後のベース部材３における後係合部３２を外部に表出し得るように当該後のベース部材３を収容する袋状のものとなっている。すなわち、後のベース部材収容部１２ｆは、下端部に後係合部３２を外部に露出させるための長孔状の開口部ｋ２を備えている。後のベース部材収容部１２ｆは、後の延出部分１２ａと、この後の延出部分１２ａの内面側に配されるシート状の内側袋形成部分１２ｂとを主体に構成されている。そして、これら後の延出部分１２ａと内側袋形成部分１２ｂとの側縁部分と下縁部分の左右両側部とを縫い合わせることにより、下端部に開口部ｋ２を有した袋状の部分が形成されている。
【００７８】
後のベース部材３は、上側から後のベース部材収容部１２ｆ内に挿入される。そして、後の延出部分１２ａの下縁部分と内側袋形成部分１２ｂの下縁部分との縫い付け部ｎ３によって、内部に収容された後のベース部材３の下側への移動が規制されるとともに、後の延出部分１２ａの側縁部分と内側袋形成部分１２ｂの側縁部分との縫い付け部ｎ４によって、内部に収容された後のベース部材３の左右方向への移動が規制されるようになっている。
【００７９】
このようなものであれば、所期の目的を達成することができるのみならず、後のベース部材３を後のベース部材収容部１２ｆに挿入するだけで、後のベース部材３をカバー本体１における適切な位置に配設し得るものとなる。つまり、積極的に止着具を用いることなく、後のベース部材３とカバー本体１とを位置決めすることができるものとなる。
【００８０】
なお、図１８に示すように、後の延出部分１２ａの下縁部分と内側袋形成部分１２ｂの下縁部分との縫い付け部ｎ３、及び、後の延出部分１２ａの側縁部分と内側袋形成部分１２ｂの側縁部分との縫い付け部ｎ４は、表面側に表出しにくい位置に設けられている。また、後の延出部分１２ａの末端や内側袋形成部分１２ｂの末端は、後のベース部材収容部１２ｆの内部に位置するように縫い合わされている。
【００８１】
なお、上記した他の実施形態においても、止着具を用いて、カバー本体１と前後のベース部材２、３とを位置決めしてよいのは言うまでもない。
【００８２】
上述した実施形態では、背カバー内の前後にそれぞれベース部材を設けていたが、ベース部材は、前後の何れか一方にだけ設けたものであってもよい。
【００８３】
ベース部材の係合部は、背凭れ本体の下部に係合し得るものであればよく、必ずしも、背凭れ本体の下端部に係合するものには限られない。
【００８４】
カバー本体は、伸縮性のあるシート状の素材を主体に構成されたものであればよく、上述した実施形態に示されたような布製のものに限定されるものではない。
【００８５】
支持フレームの態様や座の態様は種々のものを採用できることは言うまでもない。
【００８６】
背凭れ本体の形状や、背カバーの形状は本発明の趣旨を逸脱しない範囲で適宜変更可能である。
【００８７】
ベース部材の係合部の形状は種々の形状を採用することができるものである。
【００８８】
接続手段は、ファスナーに限られるものではなく開口部を開閉し得るものであればよい。接続手段は、例えば、ボタン式のものや、スナップボタン式のもの等であってもよいし、面ファスナーを用いたものであってもよい。
【００８９】
その他、各部の具体的構成についても上記実施形態に限られるものではなく、本発明の趣旨を逸脱しない範囲で種々変形が可能である。
【符号の説明】
【００９０】
１…カバー本体
２…前のベース部材（ベース部材）
３…後のベース部材（ベース部材）
２２…前係合部（係合部）
３２…後係合部（係合部）
Ａ…椅子
Ｄ…背凭れ
Ｆ…背凭れ本体
Ｇ…背カバー
【図１】
0006643881.tif 000002
【図２】
0006643881.tif 000003
【図３】
0006643881.tif 000004
【図４】
0006643881.tif 000005
【図５】
0006643881.tif 000006
【図６】
0006643881.tif 000007
【図７】
0006643881.tif 000008
【図８】
0006643881.tif 000009
【図９】
0006643881.tif 000010
【図１０】
0006643881.tif 000011
【図１１】
0006643881.tif 000012
【図１２】
0006643881.tif 000013
【図１３】
0006643881.tif 000014
【図１４】
0006643881.tif 000015
【図１５】
0006643881.tif 000016
【図１６】
0006643881.tif 000017
【図１７】
0006643881.tif 000018
【図１８】
0006643881.tif 000019
【図１９】
0006643881.tif 000020
【図２０】
0006643881.tif 000021